(57)【要約】      （修正有）【課題】駐車車両内に人や動物が放置されていることを確実に検出できる駐車車両異常検出装置を提供する。【解決手段】駐車車両異常検出装置１０は、車室内の二酸化炭素濃度を検出するＣＯ２センサー１と、駐車中に測定された前記ＣＯ２センサー１の検出データに基づいて車室内に人又は動物が存在するか否かを判定する判定部１１と、を備える。通知部１２は、判定部の異常判定に基づいて、通知を行う。判定部又は通知部が室内温度をモニタリングし、室内温度が所定上限値以上又は所定下限値以下、であることを通知の条件とすることができる。【選択図】図１
2019168858.tif 000002
【特許請求の範囲】
【請求項１】
車室内の二酸化炭素濃度を検出するＣＯ２センサーと、
駐車中に測定された前記ＣＯ２センサーの検出データに基づいて車室内に人又は動物が存在するか否かを判定する判定装置と、を備える
ことを特徴とする駐車車両異常検出装置。
【請求項２】
請求項１に記載の駐車車両異常検出装置において、
前記判定装置は、駐車後の車内の二酸化炭素濃度をモニターし、二酸化炭素濃度の上昇を検出し且つこの上昇が所定値以上の大きさである場合に、車室内に人又は動物が存在すると判定する
ことを特徴とする駐車車両異常検出装置。
【請求項３】
請求項１又は２に記載の駐車車両異常検出装置において、
前記判定装置は、駐車してからの車内の二酸化炭素濃度のモニターの履歴を蓄積し、駐車後の二酸化炭素濃度が、前記履歴における最低値の平均値より所定値以上大きい場合に、車室内に人又は動物が存在すると判定する
ことを特徴とする駐車車両異常検出装置。
【請求項４】
請求項１から３のいずれか一項に記載の駐車車両異常検出装置であって、
前記判定装置の判定結果を通知する通知装置をさらに備える
ことを特徴とする駐車車両異常検出装置。
【請求項５】
請求項４に記載の駐車車両異常検出装置において、
前記通知装置は、前記車室内の温度が所定温度範囲以上又は以下であることを条件とする
ことを特徴とする駐車車両異常検出装置。
【請求項６】
請求項４又は５に記載の駐車車両異常検出装置において、
前記通知装置は、無線を介して運転者に通知する
ことを特徴とする駐車車両異常検出装置。
【請求項７】
請求項１から６のいずれか一項に記載の駐車車両異常検出装置であって、
前記判定装置の判定結果に基づいて空調装置を作動させる空調作動装置をさらに備える
ことを特徴とする駐車車両異常検出装置。
【発明の詳細な説明】
【技術分野】
【０００１】
本発明は、駐車車両内に人や動物を放置した場合に、異常を検出する駐車車両異常検出装置に関する。
【背景技術】
【０００２】
車室内に人または動物がいる状態で車室内が異常な温度になった場合、車室内に人または動物がいることを外部に知らせる車内異常検知装置が知られている（特許文献１参照）。また、ドアの開閉履歴や車内の画像情報から車室内に人または動物がいることを検出する場合がある。
【０００３】
しかしながら、従来においては、誤検出が多く、警報装置をオフにしてしまう場合がある。また、車内に人や動物が放置されていても、例えば、温度やドアの開閉履歴や画像情報では検出できない場合がある。
【先行技術文献】
【特許文献】
【０００４】
【特許文献１】特開２０００−２８９４５９号公報
【発明の概要】
【発明が解決しようとする課題】
【０００５】
本発明は、このような事情に鑑み、駐車車両内に人や動物が放置されていることを確実に検出できる駐車車両異常検出装置を提供することを目的とする。
【課題を解決するための手段】
【０００６】
上記課題を解決する本発明の態様は、車室内の二酸化炭素濃度を検出するＣＯ２センサーと、駐車中に測定された前記ＣＯ２センサーの検出データに基づいて車室内に人又は動物が存在するか否かを判定する判定装置と、を備えることを特徴とする駐車車両異常検出装置にある。
かかる態様では、ＣＯ２センサーの検出データに基づいて車室内に人又は動物が存在するか否かを判定する判定装置を具備するので、車室内に人又は動物が存在することを確実に検出することができ、また、誤検出を防止することができる。
【０００７】
ここで、前記判定装置は、駐車後の車内の二酸化炭素濃度をモニターし、二酸化炭素濃度の上昇を検出し且つこの上昇が所定値以上の大きさである場合に、車室内に人又は動物が存在すると判定することが好ましい。
これによれば、車室内に人又は動物が存在することをより確実に検出することができ、また、誤検出をより確実に防止することができる。
【０００８】
また、前記判定装置は、駐車してからの車内の二酸化炭素濃度のモニターの履歴を蓄積し、駐車後の二酸化炭素濃度が、前記履歴における最低値の平均値より所定値以上大きい場合に、車室内に人又は動物が存在すると判定することが好ましい。
これによれば、車室内に人又は動物が存在することをより確実に検出することができ、また、誤検出をより確実に防止することができる。
【０００９】
また、前記判定装置の判定結果を通知する通知装置をさらに備えることが好ましい。
これによれば、通知装置での通知により、人や動物が車室内に放置されたことによる事故を未然に防止することができる。
【００１０】
また、前記通知装置は、前記車室内の温度が所定温度範囲以上又は以下であることを条件として通知することが好ましい。
これによれば、車室内の温度が比較的安全な場合の通知を控えることができる。
【００１１】
また、前記通知装置は、無線を介して運転者に通知することが好ましい。
これによれば、運転者が人や動物が放置された状況の解消を行うことができ、事故を未然に防止することができる。
【００１２】
また、前記判定装置の判定結果に基づいて空調装置を作動させる空調作動装置をさらに備えることが好ましい。
これによれば、空調装置を作動させることにより、車室内の環境を良好にすることができ、事故を未然に防止することができる。
【発明の効果】
【００１３】
本発明によれば、ＣＯ２センサーの検出データに基づいて車室内に人又は動物が存在するか否かを判定する判定装置を具備する駐車車両異常検出装置を提供でき、車室内に人又は動物が存在することを確実に検出することができ、また、誤検出を防止することができる。
【図面の簡単な説明】
【００１４】
【図１】駐車車両異常検出装置の概略図である。
【図２】駐車車両異常検出装置の動作の一例を示すフローチャートである。
【図３】駐車車両異常検出装置の動作の他の例を示すフローチャートである。
【図４】駐車車両異常検出装置の動作の他の例を示すフローチャートである。
【発明を実施するための形態】
【００１５】
以下、本発明を実施するための形態について説明する。なお、実施形態の説明は例示であり、本発明は以下の説明に限定されない。
【００１６】
〈実施形態１〉
図１は駐車車両異常検出装置の概略図である。
図１に示すように、車両の車室内、例えば、後部座席の側方下部などの少なくとも一カ所にＣＯ２センサー１が設けられ、ＣＯ２センサー１は、制御装置内に設けられた駐車車両異常検出装置１０に接続されている。
【００１７】
制御装置は、ＥＣＵ（Electronic Control Unit）であり、ＣＰＵ、制御プログラムなどを格納・記憶するＲＯＭ、制御プログラムの作動領域としてのＲＡＭ、各種データを書き換え可能に保持するＥＥＰＲＯＭ、周辺回路等とのインターフェースをとるインターフェース部などを含んで構成され、駐車車両異常検出装置１０は、制御装置内で動作するソフトウェアにより実現され、判定部１１、通知部１２及び空調作動部１３を具備する。これらの各部は、駐車車両異常検出装置１０の機能を各部として表したものであり、制御装置のＣＰＵが制御プログラムを実行することによって実現されている。
【００１８】
判定部１１は、ＣＯ２センサー１から取得した検出データを解析し、人や動物が放置されている状態か否かを判定する。具体的には、駐車状態となった以降、ＣＯ２センサー１が検出する二酸化炭素濃度をモニタリングし、人や動物が放置されているか否かを判定する。
【００１９】
ここで、駐車状態になったか否かは、例えば、エンジンがオフの場合に、駐車状態と判断し、ＣＯ２センサー１の検出データのモニタリングを開始する。
なお、駐車状態となった場合、窓が閉まっているかどうかを判断し、窓が開いている場合には、瞬時に警報を鳴らすようにしてもよい。これにより、窓の閉め忘れを運転者に報知することができる。
【００２０】
判定部１１は、駐車状態以降の二酸化濃度をモニタリングし、駐車状態であるにも拘わらず、車内に人や動物が存在するかどうかを判定し、人や動物の存在の可能性がある場合を異常状態と判定する。
【００２１】
異常状態か否かは、駐車状態以降の二酸化炭素濃度の変化に基づいて判定する。一般的には、駐車状態となり、車内に人や動物が存在しない場合（以下、通常状態という）の二酸化炭素濃度の変化は、駐車前の乗車状態、ＣＯ２センサー１の取付位置、車内温度、車内の換気状態などによって異なると予想されるが、一般には、二酸化炭素濃度が徐々に下降し、その後ほぼ一定値となる場合が多いと予想される。このような通常状態は、車両における試験により予め検知しておくのが好ましい。そして、通常状態では二酸化炭素濃度が一定となった後、所定値以上上昇することがないとした場合、一定値となった後、所定値以上二酸化炭素濃度が上昇した場合を異常状態とすることができ、これを判定基準の１つとすることができる。また、この通常状態は、通常状態をモニタリングすることにより、学習することができ、学習結果に基づき、判定基準を変化するようにしてもよい。
【００２２】
何れにしても、駐車状態以降、二酸化炭素濃度が上昇する状態となり、その上昇した値が、人や動物が存在する状態を予測できる程度である、予め設定してある所定値以上となった場合に、異常状態と判定することができる。
【００２３】
また、通常状態では、駐車状態となった以降、二酸化炭素濃度の下降状態となる場合において、下降状態が小さい又は実質的にない場合にも、異常状態と判定することが人や動物の放置状態の早期発見につながる場合、これも判定基準の１つとしてもよい。
【００２４】
通知部１２は、判定部１１の異常判定に基づいて、通知を行う。通知手段としては、運転者への携帯電話やスマートフォンへのメールやＳＮＳでの連絡、車両独自の無線やインターネット接続サービスを介しての通知、車両での警報などを挙げることができる。これらは同時にいくつかの手段を行ってもよいが、順次行ってもよい。例えば、携帯電話やスマートフォンへのメールやＳＮＳでの運転者への連絡を優先し、連絡がとれない場合に、車両での警報を鳴らす、などの手順を踏むことが好ましい。
【００２５】
ここで、通知部１２の通知は、判定部１１の異常判定が出たことを必要条件とするが、その他の条件が揃ったことを通知の条件としてもよい。例えば、判定部１１又は通知部１２が室内温度をモニタリングし、室内温度が所定上限値以上又は所定下限値以下、例えば、３０℃以上、又は１０℃以下であることを通知の条件とすることができる。この場合、室内温度が所定上限値と所定下限値の間にあれば通知はされないことになるが、解除条件を付加して通知をするようにしてもよい。解除条件としては、例えば、二酸化炭素濃度のさらなる上昇、又は異常判定から所定時間以上、例えば、１時間以上経過した場合には、室内温度に拘わらず通知するようにしてもよい。
【００２６】
空調作動部１３は、判定部１１の異常判定に基づいて、空調の作動を行う。空調作動部１３による空調の作動開始は、判定部１１の異常判定が出たこと、及び室内温度が所定上限値以上又は所定下限値以下、例えば、３０℃以上、又は１０℃以下であることを通知の条件とすることができる。また、通知部１２の通知により解決しないことを条件として、空調作動を開始してもよい。また、異常判定が出て、室内温度が所定上限値以上又は所定下限値以下となり、所定時間を経過した場合に空調作動を開始するようにしてもよい。また、室内温度が所定上限値と所定下限値の間にあれば空調作動が開示されない条件の場合でも、例えば、二酸化炭素濃度のさらなる上昇、又は異常判定から所定時間以上、例えば、１時間以上経過した場合には、室内温度に拘わらず空調作動を開始して、少なくとも換気を行うようにしてもよい。
【００２７】
なお、空調作動部１３は、必ずしも設ける必要はない。また、空調作動部１３が空調作動を行わない場合でも、車両のインターネット接続サービスなどを介して通知を受けた運転者が空調を作動させることができるようにしてもよい。
【００２８】
図２は、上述した駐車車両異常検出装置の動作の一例を示すフローチャートである。
図示するように、ステップＳ１で、上述したように、例えば、エンジンがオフの場合に、駐車状態と判断し、駐車状態と判断しない場合（ステップＳ１；Ｎｏ）にはそのまま駐車状態になったか否かを判断し、駐車状態と判断した場合（ステップＳ１；Ｙｅｓ）には、ＣＯ２センサー１により二酸化炭素濃度の検出を開始する（ステップＳ２）。
【００２９】
ステップＳ３では、判定部１１が、二酸化炭素濃度をモニタリングし、二酸化炭素濃度が上昇状態にあるか否かを判断する。上昇状態にない場合（ステップＳ３；Ｎｏ）には、そのままモニタリングを続け、上昇状態になった場合（ステップＳ３；Ｙｅｓ）には、上昇状態で、所定値以上上昇したかを判断し（ステップＳ４）、所定値（第１所定値）以上上昇していない場合には、ステップＳ３に戻る。一方、二酸化炭素濃度が所定値以上した場合には（ステップＳ４；Ｙｅｓ）、通知部１２による通知を行う（ステップＳ５）。
【００３０】
ここでの判定部１１による判定は、上述したとおり、通常状態では二酸化炭素濃度が一定となった後、所定値以上上昇することがないとした場合、一定値となった後、所定値以上二酸化炭素濃度が上昇した場を異常状態とするという判定基準で判定した例である。
【００３１】
図３は、上述した駐車車両異常検出装置の動作の他の例を示すフローチャートである。
この場合、基本的な動作は、図２の例と同様であるので、重複する説明は省略する。
この例では、判定部１１が通常状態での二酸化炭素濃度のモニタリングを履歴として蓄積し、異常状態の判断基準を学習により変化させている。
【００３２】
具体的には、二酸化炭素濃度が上昇状態にない場合（ステップＳ３；Ｎｏ）において、この例では、モニタリングの履歴が一定以上蓄積されているかどうかを判定し（ステップＳ１１）、履歴が蓄積されていない場合（ステップＳ１１；Ｎｏ）にはステップＳ３に戻るが、履歴が蓄積されている場合（ステップＳ１１；Ｙｅｓ）には、履歴により学習した判断基準で異常状態か否かを判定する（ステップＳ１２）。この例では、通常状態における二酸化炭素濃度の最低値の平均値を算出しておき、二酸化炭素濃度が平均値より明らかに高くて人や動物の存在の可能性が高いと判定できる状態を予め定めておき、平均値より所定値（第２所定値）以上高い場合（ステップＳ１２；Ｙｅｓ）を異常状態とし、ステップＳ５に進むようにしている。なお、二酸化炭素濃度が履歴の平均値より所定値以上高くない場合（ステップＳ１２；Ｎｏ）には、ステップＳ３に戻る。
【００３３】
また、この例では、通知部１２により通知を行った後（ステップＳ５）、さらに、二酸化炭素濃度がさらに所定値（第３所定値）以上上昇したか否かを判断し（ステップＳ１３）、さらに所定値以上上昇した場合（ステップＳ１３；Ｙｅｓ）には、空調作動部１３が空調を作動させるようにした（ステップＳ１４）。なお、空調を作動させるか否かの判断基準は、二酸化炭素濃度のさらなる上昇ではなく、上述したとおり、所定時間の経過などを条件としてもよい。また、空調作動をステップＳ５での通知と同時に行ってもよい。
【００３４】
図４は、上述した駐車車両異常検出装置の動作の他の例を示すフローチャートである。
この場合、基本的な動作は、図２の例と同様であるので、重複する説明は省略する。
この例では、駐車状態と判定して（ステップＳ１；Ｙｅｓ）、二酸化炭素濃度のモニタリングを開始した後（ステップＳ２）、窓が閉まっているか否かを判断し（ステップＳ２１）、窓が閉まっていない場合（ステップＳ２１；Ｎｏ）、ステップＳ２２で警報を発するようにしている。この警報は、例えば、駐車状態を判定してから、例えば、２秒後など瞬時に行うので、運転者の窓の閉め忘れをなくすことができる。
【００３５】
以上、実施例に基づいて説明したように、本発明の駐車車両異常検出装置によると、例えば、ドアの開閉情報や画像情報では確認できない、駐車後の人や動物の放置を検出することができ、その後の事故を未然に防ぐことができる。また、ドアの開閉情報などにより誤判定を行う虞もないので、誤判定による無用な通知や警報を排除することができる。
【００３６】
ここで、ＣＯ２センサー１は、車室内の人や動物から排出される二酸化炭素が検出し易い場所に設けるのが好ましく、また、複数箇所に設けるのがさらに好ましい。ＣＯ２センサー１を複数箇所に設けた場合には、ＣＯ２センサー１毎にモニタリングし、何れかのＣＯ２センサー１で人や動物が存在する可能性が検出された場合に、異常状態と判定するのが好ましい。
【００３７】
なお、本発明の実施形態について説明したが、勿論、本発明は、上述の実施形態に限定されるものではなく、本発明の趣旨から逸脱しない範囲内で、構成の付加、省略、置換、およびその他の変更が可能である。
【符号の説明】
【００３８】
１…ＣＯ２センサー、１０…駐車車両異常検出装置、１１…判定部、１２…通知部、１３…空調作動部
【図１】
2019168858.tif 000003
【図２】
2019168858.tif 000004
【図３】
2019168858.tif 000005
【図４】
2019168858.tif 000006